(57)【要約】【課題】遮光面積が拡張でき、かつバニティミラーを備えた自動車用サンバイザを提供する。【解決手段】支持杆４により車室内の天井前部に回動自在に支持されたサンバイザ本体１を、支持杆４に回動自在に支承された固定サンバイザ２と、固定サンバイザ２の長手方向にスライド自在な可動サンバイザ３とから構成し、かつ固定サンバイザ２側にバニティミラー６を設けると共に、可動サンバイザ３側に、バニティミラー６が表出する開口部３ｅを設けたことから、固定サンバイザ２に対して可動サンバイザ３をスライドさせることにより、サンバイザ本体１の遮光面積を拡張することができるため、入射方向が絶えず変化する眩光を効果的に遮光することができる上、固定サンバイザ２と可動サンバイザ３をほぼ同大にできるため、上下方向に変化する眩光に対しても十分な遮光効果が得られるようになる。【選択図】  図２
2004175293.tif 000002
【特許請求の範囲】
【請求項１】
支持杆により車室内の天井前部に回動自在に支持されたサンバイザ本体により、車両の前方や側方より入射する眩光を遮光する自動車用サンバイザであって、前記サンバイザ本体を、前記支持杆に回動自在に支承された固定サンバイザと、前記固定サンバイザの長手方向にスライド自在かつ該固定サンバイザを覆うように設けた可動サンバイザとから構成し、かつ前記固定サンバイザ側にバニティミラーを設けると共に、前記可動サンバイザ側に、前記バニティミラーが表出する開口部を設け、更に、前記バニティミラーの近傍に照明ランプを設けると共に、前記照明ランプに電力を供給するハーネスを、前記固定サンバイザに形成した凹溝内及び前記支持杆内を経て車体側に配線してなる自動車用サンバイザ。
【請求項２】
前記固定サンバイザ及び前記可動サンバイザの一方に、可動サンバイザのスライド方向にガイド溝を形成すると共に、他方に前記ガイド溝内に嵌合するガイドピンを突設してなる請求項１に記載の自動車用サンバイザ。
【請求項３】
前記可動サンバイザの開口部に、開閉自在なリッドを設けてなる請求項１または２に記載の自動車用サンバイザ。
【発明の詳細な説明】
【０００１】
【発明の属する技術分野】
本発明は、主として前方からの眩光を遮光する自動車用サンバイザに関する。
【０００２】
【従来の技術】
従来自動車の運転席や助手席前方の天井付近に、前方や側方からの眩光を遮光するサンバイザが設置されている。
【０００３】
またこのサンバイザには、バニティミラーを設けたものや、サンバイザ本体の遮光面積が拡張できるようにしたもの等がある（例えば特許文献１，２参照）。
【０００４】
【特許文献１】
米国特許明細書第５，６５３，４９０号（ＦＩＧ４）
【特許文献２】
特開平１１−３０１２６２号公報（段落００１０，図２，図３）
【０００５】
前記特許文献１に記載のサンバイザは、図１２に示すようにサンバイザ本体ａが支持杆ｂにスライド自在に取り付けられていて、左右方向へ移動調整自在となっており、サンバイザ本体ａには、照明付きのバニティミラーｃが設けられている。
【０００６】
またサンバイザ本体ａの上部にはハーネスｄが収容されていて、このハーネスｄにより照明ランプ（図示せず）へ電力を供給できるようになっていると共に、ハーネスｄはサンバイザ本体ａを左右方向へ移動調整した際伸縮できるようにコイル状にカールさせた状態でサンバイザ本体ａ内に収容されている。
【０００７】
一方前記特許文献２に記載のサンバイザは、サンバイザ本体が回動用シャフトに回動自在に取り付けられたスペースバイザと、スペースバイザの外表面にスライド自在に嵌合された中空のスライドバイザとより構成されていて、スペースバイザに対しスライドバイザをスライドさせることによりサンバイザ本体の遮光面積が拡張できるように構成されている。
【０００８】
また遮光面積が拡張できるようにしたサンバイザとしては、図１３に示す構造のものが公知である。
【０００９】
図１３に示すサンバイザは、バニティミラーｃの設けられたサンバイザ本体ａ内に、横方向へ引き出し自在なサブバイザｆを設けた構成で、必要に応じてサンバイザ本体ａ内よりサブバイザｆを引き出すことによりサンバイザの遮光面積が拡張できるようになっている。
【００１０】
【発明が解決しようとする課題】
しかし前記特許文献１に記載のサンバイザは、支持杆ｂにスライド自在に取り付けられたサンバイザ本体ａに照明付きバニティミラーｃが設けられているため、照明ランプへ電力を供給するハーネスｄの処理が複雑になると共に、長期間サンバイザ本体ａの移動を繰り返していると、ハーネスｄが劣化して断線する心配があるため、信頼性に欠ける等の問題がある。
【００１１】
またサンバイザ本体ａに遮光面積を拡張する機能がないため、遮光できる範囲に制限を受ける等の問題もある。
【００１２】
一方特許文献２に記載のサンバイザは、遮光面積を拡張できる機能はあるが、バニティミラーを備えていないため、使用目的が眩光の遮光のみに制限される等の問題がある。
【００１３】
また図１３に記載のサンバイザは、サンバイザ本体ａ内に収容されたサブバイザｆを引き出して遮光面積を拡張する構成のため、必然的にサブバイザｆはサンバイザ本体ａの幅より小さくなり、その結果サブバイザｆ使用時には、遮光性が十分に得られないと共に、サンバイザ本体ａ側にバニティミラーｃが設けられているため、サブバイザｆの面積を大きくしようとした場合、バニティミラーｃとサブバイザｆがラップして、サンバイザ本体ａの厚みが厚くなる等の問題もある。
【００１４】
本発明はかかる従来の問題を改善するためになされたもので、遮光面積が拡張でき、かつバニティミラーを備えた自動車用サンバイザを提供することを目的とするものである。
【００１５】
【課題を解決するための手段】
前記目的を達成するため本発明の自動車用サンバイザは、支持杆により車室内の天井前部に回動自在に支持されたサンバイザ本体により、車両の前方や側方より入射する眩光を遮光する自動車用サンバイザであって、サンバイザ本体を、支持杆に回動自在に支承された固定サンバイザと、固定サンバイザの長手方向にスライド自在な可動サンバイザとから構成し、かつ固定サンバイザ側にバニティミラーを設けると共に、可動サンバイザ側に、バニティミラーが表出する開口部を設け、更に、バニティミラーの近傍に照明ランプを設け、かつ照明ランプに電力を供給するハーネスを、固定サンバイザに形成した凹溝内及び支持杆内を経て車体側に配線したものである。
【００１６】
前記構成により、固定サンバイザに対して可動サンバイザをスライドさせることにより、サンバイザ本体の遮光面積を拡張することができるため、入射方向が絶えず変化する眩光を効果的に遮光することができると共に、固定サンバイザと可動サンバイザをほぼ同大に形成できるため、上下方向に変化する眩光に対しても十分な遮光効果が得られるようになる。
【００１７】
また固定サンバイザに設けられたバニティミラーを可動サンバイザの開口部より見ることができるため、車室内で化粧等をする場合に便利である共に、サンバイザ本体の厚みが厚くなることがないため、サンバイザ本体の軽量化が図れる上、見栄えも向上する。
【００１８】
また、可動サンバイザをスライドさせてもハーネスが移動することがないため、ハーネスの処理が容易になる上、可動サンバイザのスライドを繰り返してもハーネスに無理な力が加わることがないので、ハーネスが断線したり、早期に劣化することがないため信頼性が向上すると共に、夜間のように車室内が暗い場合でも、照明ランプにより照明しながらバニティミラーを見ることができるため、化粧等が容易に行えるようになる。
【００１９】
前記目的を達成するため本発明の自動車用サンバイザは、固定サンバイザ及び可動サンバイザの一方に、可動サンバイザのスライド方向にガイド溝を形成すると共に、他方にガイド溝内に嵌合するガイドピンを突設したものである。
【００２０】
前記構成により、可動サンバイザのスライドが円滑に行える上、固定サンバイザより可動サンバイザが抜け外れることもない。
【００２１】
前記目的を達成するため本発明の自動車用サンバイザは、可動サンバイザの開口部に、開閉自在なリッドを設けたものである。
【００２２】
前記構成により、バニティミラーの不使用時リッドを閉鎖することにより、バニティミラーが視界に入ることがないので、運転に支障をきたすことがないと共に、リッドによってバニティミラーが汚れたり、破損するのを未然に防止することもできる。
【００２３】
【発明の実施の形態】
本発明の実施の形態を、図面を参照して詳述する。
【００２４】
図１は自動車用サンバイザの斜視図、図２は可動サンバイザをスライドさせた状態の斜視図、図３は自動車用サンバイザの分解斜視図、図４は図１のＡ−Ａ線に沿う断面図、図５は図４のＢ−Ｂ線に沿う断面図、図６は作用説明図である。
【００２５】
図示しない自動車の運転席や助手席前方の天井部に設置されたサンバイザ本体１は、長方形状の固定サンバイザ２と、固定サンバイザ２を覆うように設けられる可動サンバイザ３とから構成されている。
【００２６】
固定サンバイザ２は、樹脂により板状に一体成形されていて、上部の複数個所に突設された筒状のスライドガイド２ａが、サンバイザ本体１を支持する支持杆４に回動自在に嵌挿されている。
【００２７】
支持杆４は、一端側がほぼ直角に屈曲された管体により形成されていて、屈曲部４ａが取り付けブラケット５により車室側の天井部に取り付けられており、他端側は、フロントガラス（図示せず）に沿って水平に設けられている。
【００２８】
固定サンバイザ２には、支持杆４を中心に使用位置へ回動した際、乗員と対向する面にバニティミラー６が埋め込まれており、バニティミラー６の近傍、例えば側方には、バニティミラー６を使用する乗員の顔等を照明する照明ランプ７が埋め込まれている。
【００２９】
照明ランプ７には、車体側に搭載された電源（ともに図示せず）より電力を供給するハーネス８に一端側が接続されており、ハーネス８の他端側は、固定サンバイザ２に形成された凹溝２ｂ内及び支持杆４内を通って屈曲部４ａより車体側へ延出され、電源に接続されている。
【００３０】
一方可動サンバイザ３は、固定サンバイザ２と幅が同じで、かつ長さは固定サンバイザ２よりやや長い長方形状に形成されていて、樹脂により一体成形されている。
【００３１】
可動サンバイザ３内には、支持杆４の屈曲部４ａ側がスリット状に開口する固定サンバイザ収納部３ａが形成されていて、この固定サンバイザ収納部３ａに、スリット状開口部３ｂより固定サンバイザ２が摺動自在に収納されており、可動サンバイザ３の四隅と、固定サンバイザ２の一端側角部は、小円弧状となっている。
【００３２】
また可動サンバイザ３の上辺部には、固定サンバイザ２のスライドガイド２ａ外周と摺接する半筒状のガイド部３ｃが、そして下辺部には固定サンバイザ２の下辺部と摺接するガイド溝３ｄが形成されていて、これらガイド部３ｃとガイド溝３ｄによって固定サンバイザ２に対し可動サンバイザ３が左右方向へ円滑にスライドできるようになっている。
【００３３】
可動サンバイザ３には、固定サンバイザ収納部３ａに固定サンバイザ２を収納した際、固定サンバイザ２に埋め込まれたバニティミラー６と対向する面に、バニティミラー６とほぼ同じ大きさの開口部３ｅが開口されていて、固定サンバイザ２を可動サンバイザ３の固定サンバイザ収納部３ａ内に収納した状態のときに、開口部３ｅよりバニティミラー６が覗けるようになっていると共に、開口部３ｅには上縁部がヒンジ１０により可動サンバイザ３に蝶着されたリッド１１が開閉自在に設けられている。
【００３４】
リッド１１は開口部３ｅとほぼ同大の板体により形成されていて、蝶着部と反対側の下縁部には、リッド１１を開放する際指を掛ける指掛け部１１ａが形成されている。
【００３５】
なお３ｆは可動サンバイザ３の上縁部に形成された切り欠き３ｇに、支持杆４の軸線と一致するように設けられた係止杆で、車室内の天井部に設けられたホルダ（図示せず）に嵌合することにより、サンバイザ本体１を水平位置に保持できるようになっている。
【００３６】
次に前記構成された自動車用サンバイザの作用を説明する。
【００３７】
サンバイザ本体１を使用しないときには、支持杆４を中心に上方へ回動して、ルーフトリム（図示せず）の内側に沿って格納し、サンバイザ本体１の使用時図１に示す使用位置に回動して、前方より入射する太陽光等の眩光を遮光する。
【００３８】
また前方より入光する眩光の入射方向が絶えず変るような場合は、可動サンバイザ３の一部を把持して可動サンバイザ３を図２及び図６に示すようにスライドさせる。
【００３９】
これによってサンバイザ本体１の遮光面積が増大するので、入射方向が絶えず変る眩光に対しても効果的に遮光することができると共に、可動サンバイザ３の幅は固定サンバイザ２の幅とほぼ同じなので、高さ方向に変化する眩光に対しても十分な遮光効果が得られるようになる。
【００４０】
またバニティミラー６は固定サンバイザ２側に設けられているため、可動サンバイザ３をスライドさせてもハーネス８が移動することがなく、これによってハーネス８を伸縮自在にする必要がないのでハーネス８の処理が容易になると共に、繰り返し可動サンバイザ３をスライドさせてもハーネス８に無理な力が作用することがないので、ハーネス８が断線する心配もない。
【００４１】
またバニティミラー６を使用する場合は、図１に示すように固定サンバイザ２を可動サンバイザ３の固定サンバイザ収納部３ａ内に収納した状態でリッド１１を上方へ開放すればよく、夜間のように車室内が暗い場合は、図示しないスイッチにより照明ランプ７を点灯することにより、化粧等が容易に行えるようになる。
【００４２】
一方図７ないし図１１は自動車用サンバイザの変形例を示すもので、次にこれら変形例について説明する。
【００４３】
なお前記実施の形態と同一部分は同一符号を付して、その説明は省略する。
【００４４】
図７ないし図１０に示す変形例は、固定サンバイザ２側にガイド溝２ｃを水平方向に形成すると共に、このガイド溝２ｃ内に可動サンバイザ３側に突設したガイドピン３ｈを摺動自在に嵌挿したもので、ガイド溝２ｃとガイドピン３ｈにより可動サンバイザ３のスライドをガイドすると同時に、可動サンバイザ３のスライド範囲を制限して、可動サンバイザ３が固定サンバイザ２より抜け外れないように規制している。
【００４５】
すなわち固定サンバイザ収納部３ａ内に固定サンバイザ２が収納されている状態では、図９に示すようにガイドピン３ｈがガイド溝２ｃの左端位置にあり、可動サンバイザ３を右方向へスライドさせると、ガイドピン３ｈがガイド溝２ｃ内を右方向へ移動し、ガイド溝２ｃの右端位置になったところで可動サンバイザ３のスライドを停止させるため、固定サンバイザ２より可動サンバイザ３が抜け外れるのを防止できるようになっており、この変形例の場合、固定サンバイザ２側にガイドピン３ｈを、そして可動サンバイザ３側にガイド溝２ｃを設けても勿論よい。
【００４６】
また図１１に示す変形例は、可動サンバイザ３の開口部３ｅを開閉するリッド１１をスライド式にしたもので、開口部３ｅの上辺部と下辺部の内側にスライド溝３ｊを形成し、このスライド溝３ｊにリッド１１の上下縁を摺動自在に嵌合して、リッド１１が左右方向へスライドできるようにしたもので、リッド１１の開放端側に摘子１１ｂを突設したことにより、リッド１１の開閉が容易に行えるようになっている。
【００４７】
この変形例よれば、スライド溝３ｊの近傍に照明ランプ７をオン、オフするスイッチを設けておくことにより、リッド１１の開閉に連動させて照明ランプ７の点灯及び消灯が行えるため、スイッチの構造を簡素化できる効果が得られる。
【００４８】
【発明の効果】
本発明は以上詳述したように、支持杆により車室内の天井前部に回動自在に支持されたサンバイザ本体を、支持杆に回動自在に支承された固定サンバイザと、固定サンバイザの長手方向にスライド自在且つ固定サンバイザを覆うように設けた可動サンバイザとから構成し、かつ固定サンバイザ側にバニティミラーを設けると共に、可動サンバイザ側に、バニティミラーが表出する開口部を設けたことから、固定サンバイザに対して可動サンバイザをスライドさせることにより、サンバイザ本体の遮光面積を拡張することができるため、入射方向が絶えず変化する眩光を効果的に遮光することができる上、固定サンバイザと可動サンバイザをほぼ同大に形成できるため、上下方向に変化する眩光に対しても十分な遮光効果が得られるようになる。
【００４９】
また固定サンバイザに設けられたバニティミラーを可動サンバイザの開口部より見ることができるため、車室内で化粧等をする場合に便利であると共に、サンバイザ本体の厚みが厚くなることがないため、サンバイザ本体の軽量化が図れる上、見栄えも向上する。
【００５０】
さらにバニティミラーの近傍に照明ランプを設け、かつ照明ランプに電力を供給するハーネスを、固定サンバイザに形成した凹溝内及び支持杆内を経て車体側に配線したことから、可動サンバイザをスライドさせてもハーネスが移動することがないため、ハーネスの処理が容易になる上、可動サンバイザのスライドを繰り返してもハーネスに無理な力が加わることがないため、ハーネスが断線したり、早期に劣化することがなく、これによって信頼性が向上すると共に、夜間のように車室内が暗い場合でも、照明ランプにより照明しながらバニティミラーを見ることができるため、化粧等も容易に行えるようになる。
【００５１】
しかも固定サンバイザ及び可動サンバイザの一方に、可動サンバイザのスライド方向にガイド溝を形成すると共に、他方にガイド溝内に嵌合するガイドピンを突設すれば、可動サンバイザのスライドが円滑に行える上、固定サンバイザより可動サンバイザが抜け外れることもないと共に、可動サンバイザの開口部に、開閉自在なリッドを設けたことから、バニティミラーの不使用時リッドを閉鎖することにより、バニティミラーが視界に入ることがないので、運転に支障をきたすことがない上、リッドによってバニティミラーが汚れたり、破損するのを未然に防止することもできる。
【図面の簡単な説明】
【図１】本発明の実施の形態になる自動車用サンバイザの斜視図である。
【図２】本発明の実施の形態になる自動車用サンバイザの可動サンバイザをスライドさせた状態の斜視図である。
【図３】本発明の実施の形態になる自動車用サンバイザの分解斜視図である。
【図４】図１のＡ−Ａ線に沿う断面図である。
【図５】図４のＢ−Ｂ線に沿う断面図である。
【図６】本発明の実施の形態になる自動車用サンバイザの作用説明図である。
【図７】本発明の実施の形態になる自動車用サンバイザの変形例を示す斜視図である。
【図８】図７のＣ−Ｃ線に沿う断面図である。
【図９】図８のＤ−Ｄ線に沿う断面図である。
【図１０】本発明の実施の形態になる自動車用サンバイザの変形例の作用説明図である。
【図１１】本発明の実施の形態になる自動車用サンバイザの別の変形例を示す斜視図である。
【図１２】従来の自動車用サンバイザの説明図である。
【図１３】従来の自動車用サンバイザの説明図である。
【符号の説明】
１      サンバイザ本体
２      固定サンバイザ
２ｃ    ガイド溝
３      可動サンバイザ
３ｅ    開口部
３ｈ    ガイドピン
６      バニティミラー
７      照明ランプ
８      ハーネス
１１      リッド
【図１】
2004175293.tif 000003
【図２】
2004175293.tif 000004
【図３】
2004175293.tif 000005
【図４】
2004175293.tif 000006
【図５】
2004175293.tif 000007
【図６】
2004175293.tif 000008
【図７】
2004175293.tif 000009
【図８】
2004175293.tif 000010
【図９】
2004175293.tif 000011
【図１０】
2004175293.tif 000012
【図１１】
2004175293.tif 000013
【図１２】
2004175293.tif 000014
【図１３】
2004175293.tif 000015